(57)【要約】【課題】  １つ１つの階段ＢＯＸを必要個数組み立てて使用できるため、現場対応にて組立できると共に、補強板を２箇所設けた形態のものは直線状の階段を組み立てでき、１箇所の場合は曲線状に形成できる。  また、棚板を設けることにより、側方からも裏側からも物を出し入れできる組立階段ＢＯＸを提供する。【解決手段】  相対向すや両面を開口した上板・下板・前板・後板とからなる四角形に形成した階段本体に、連結孔を穿設した平板を折曲してなる補強板を設けてなる階段ＢＯＸを、複数個連結して形成してなることを特徴とする組立階段ＢＯＸ。【選択図】図１
2009041353.tif 000002
【特許請求の範囲】
【請求項１】
相対向する両面を開口した上板・下板・前板・後板とからなる四角形に形成した階段本体に、連結孔を穿設した平板を折曲してなる補強板を設けてなる階段ＢＯＸを、複数個連結して形成してなることを特徴とする組立階段ＢＯＸ。
【請求項２】
階段ＢＯＸの上板・下板・前板・後板の少なくとも相対向する板に、連結孔に連通する連通孔を穿設してなることを特徴とする請求項１記載の組立階段ＢＯＸ。
【請求項３】
階段本体に、２箇所補強板を設け、各階段ＢＯＸを直線状に組み立ててなることを特徴とする請求項１又は２記載の組立階段ＢＯＸ。
【請求項４】
階段本体に、中央１箇所補強板を設け、各階段ＢＯＸを曲線状に組み立ててなることを特徴とする請求項１又は２記載の組立階段ＢＯＸ。
【請求項５】
上板に、踏板を固定してなることを特徴とする請求項１、２、３又は４記載の組立階段ＢＯＸ。
【請求項６】
階段ＢＯＸ間に棚板を設けてなることを特徴とする請求項１、２、３、４又は５記載の組立階段ＢＯＸ。
【発明の詳細な説明】
【技術分野】
【０００１】  本発明は、１つ１つの階段ＢＯＸをボルト・ナットでジョイントし、形成してなる階段で、収納機能を有してなる組立階段ＢＯＸに関するものである。
【背景技術】
【０００２】  従来の技術として、壁面に設けられ格子状に区画された収納のうち、下方の一部が引き出し可能とされ、引き出した収納によって階段が構成可能になされていることを特徴とする階段兼用の収納棚がある。（特許文献１参照）【０００３】  また、別の従来技術として、段板の下側に、ボックスを設けた階段がある。（特許文献２参照）
【特許文献１】  特開２００４−１６９４７０号公報
【特許文献２】  特開２００２−４７７７２号公報
【発明の開示】
【発明が解決しようとする課題】
【０００４】  上記前者においては、引き出した収納によって階段が構成されており、１つ１つの階段ＢＯＸを必要個数連結したものではなく、本発明の組立階段ＢＯＸとは異なるものである。【０００５】  また、上記後者においては、ボックスを前方より引き出す形態であり、段板の圧力により、ボックスが出にくくなることがある。よって、本発明の側方（裏側）から物を出し入れする形態とは異なる。
また、完全にボックス内が見えないため、どこに何を入れたかが一目で分からないものである。【０００６】  本発明は、このような従来の構成が有していた問題を解決しようとするもので、１つ１つの階段ＢＯＸを必要個数組み立てて使用できるため、現場対応にて組立できると共に、補強板を２箇所設けた形態のものは直線状の階段を組み立てでき、１箇所の場合は曲線状に形成できる。
また、棚板を設けることにより、側方からも裏側からも物を出し入れできる組立階段ＢＯＸを提供することを目的とする。
【課題を解決するための手段】
【０００７】  本発明は、上記の目的を達成するために、相対向する両面を開口した上板・下板・前板・後板とからなる四角形に形成した階段本体に、連結孔を穿設した平板を折曲してなる補強板を設けてなる階段ＢＯＸを、複数個連結して形成してなる。
階段ＢＯＸの上板・下板・前板・後板の少なくとも相対向する板に、連結孔に連通する連通孔を穿設してなる。
階段本体に、２箇所補強板を設け、各階段ＢＯＸを直線状に組み立ててなる。
階段本体に、中央１箇所補強板を設け、各階段ＢＯＸを曲線状に組み立ててなる。
上板に、踏板を固定してなる。
階段ＢＯＸ間に棚板を設けてなることを特徴とする組立階段ＢＯＸである。
【発明の効果】
【０００８】１）、１つ１つの階段ＢＯＸを連結孔（連通孔）にて連結して、必要な段数の階段を組み立てることができると共に、側方より物を出し入れ可能に収納でき、おしゃれで収納機能を設けたものである。
２）、２箇所の補強板にて、強固な直線状の階段を組立できる。
３）、中央１箇所の補強板にて曲線状の階段を組立できる。
４）、棚板を設けることにより、裏側より物の出し入れができ、スペースを有効利用できる。
【発明を実施するための最良の形態】
【０００９】  １は、階段ＢＯＸである。
２は、相対向する両面（側面）を開口２ａした、上板２ｂ・下板２ｃ・前板２ｄ・後板２ｅとからなる四角形状に形成した階段本体で、前板２ｄ及び後板２ｅに上下２箇所ずつ連通孔２ｄ１・２ｄ１・２ｅ１・２ｅ１を設けてなるものであり、材質としては木製が望ましいが、特に限定しない。
３は、上記階段本体２の内側２箇所に設けてなる補強板で、複数のビス止め孔３ａを穿設すると共に、上記連通孔２ｄ１・２ｄ１・２ｅ１・２ｅ１と同位置に連結孔３ｂ…を穿設してある。
なお、階段本体２への取り付けは、ビス止め孔３ａ…よりビス（図示せず）にて固定するものである。【００１０】  上記階段ＢＯＸ１を使用した組立階段ＢＯＸＫＢについて説明する。
各階段ＢＯＸ１…において、隣接する階段ＢＯＸ１・１の連通孔２ｄ１・２ｅ１を合わせ、連結孔３ｂ・３ｂを介してボルトＢを挿入し、ナットＮにて順次固定するものである。【００１１】  このように連結した組立階段ＢＯＸＫＢの各上板２ｂの上面に踏板Ｆを架設して固定するものである。
なお、一方の階段ＢＯＸ１…を室内の壁Ｋに固定し、途中に踊り場Ｏを設けてなるものである。【００１２】  つぎに、第２実施例の階段ＢＯＸを説明する。
２１は、階段ＢＯＸである。
２２は、相対向する両面（側面）を開口２２ａした、上板２２ｂ・下板２２ｃ・前板２２ｄ・後板２２ｅとからなる四角形状に形成した階段本体で、上板２２ｂ及び下板２２ｃに、各々２箇所に連通孔２２ｂ１・２２ｂ１・２２ｃ１・２２ｃ１を設けてなるもので、材質は木製が望ましいが、特に限定しない。
２３は、上記階段本体２２の内側中央１箇所に設けてなる四角形状に形成した補強板で、複数のビス止め孔２３ａを穿設すると共に、上記連通孔２２ｂ１・２２ｂ１・２２ｃ１・２２ｃ１と同位置に、上記連結孔２３ｂ…を穿設してある。
なお、上記同様階段本体２２への取り付けは、ビス止め孔２３ａ…よりビス（図示せず）にて固定するものである。【００１３】  つぎに、上記階段ＢＯＸ２１を使用した階段ＢＯＸＫＢ１について説明する。
本実施例で使用する踏板Ｆ１は、上記連通孔２２ｂ１・２２ｂ１と同じ位置に固定孔Ｆ１ａ・Ｆ１ａを穿設してなるもので、組み立てるときに、上方の階段ＢＯＸ２１の連結孔２３ｂ、連通孔２２ｃ１、下方の階段ＢＯＸ２１の固定孔Ｆ１ａ（後方）、連通孔２２ｂ１、連結孔２３ｂを貫通してボルトＢ１及びナットＮ１にて固定してなる。【００１４】  この時、踊り場Ｏ１の後部を壁Ｋ１に固定し、各階段ＢＯＸ２１…をボルトＢ１を軸として階段を曲線状に形成することができるものである。（なお、踏板Ｆ１は平行に移動して形成される。）
なお、前方の固定孔Ｆ１ａにボルト・ナットを挿入し固定した場合は直線状に形成するものである。【００１５】  上記各実施例において、階段ＢＯＸや踏板の大きさや材質は特に限定するものではなく、強度的に問題なければよい。
また、相対向する階段ＢＯＸ１（２１）開口間に棚板Ｔを設けることにより、一層多くの物Ｍを収納することができる。
【図面の簡単な説明】
【００１６】
【図１】  本発明の第１実施例を示す階段ＢＯＸの縦断正面図。
【図２】  本発明の第１実施例を示す階段ＢＯＸの平面図。
【図３】  本発明の第１実施例を示す階段ＢＯＸを組み立てた状態図。
【図４】  本発明の第１実施例を示す階段ＢＯＸを使用した組立階段ＢＯＸの正面図。
【図５】  本発明の第１実施例を示す階段ＢＯＸを使用した組立階段ＢＯＸの要部平面図。
【図６】  本発明の第２実施例を示す階段ＢＯＸの縦断正面図。
【図７】  本発明の第２実施例を示す階段ＢＯＸの側面図。
【図８】  本発明の第２実施例を示す階段ＢＯＸに踏板を設けた縦断正面図。
【図９】  本発明の第２実施例を示す階段ＢＯＸを使用した組立階段ＢＯＸの正面図。
【図１０】  本発明の第２実施例を示す階段ＢＯＸを使用した組立階段ＢＯＸの要部平面図。
【符号の説明】
【００１７】１−−−階段ＢＯＸ
２−−−階段本体
２ａ−−開口
２ｂ−−上板
２ｂ１−連通孔
２ｃ−−下板
２ｃ１−連通孔
２ｄ−−前板
２ｄ１−連通孔
２ｅ−−後板
２ｅ１−連通孔
３−−−補強板
３ａ−−ビス止め孔
３ｂ−−連結孔
ＫＢ−−組立階段ＢＯＸ
Ｂ−−−ボルト
Ｎ−−−ナット
Ｆ−−−踏板
Ｆ１ａ−固定孔
Ｋ−−−壁
Ｏ−−−踊り場
Ｔ−−−棚
Ｍ−−−物
【図１】
2009041353.tif 000003
【図２】
2009041353.tif 000004
【図３】
2009041353.tif 000005
【図４】
2009041353.tif 000006
【図５】
2009041353.tif 000007
【図６】
2009041353.tif 000008
【図７】
2009041353.tif 000009
【図８】
2009041353.tif 000010
【図９】
2009041353.tif 000011
【図１０】
2009041353.tif 000012